(57)【要約】二次側から一次側への逆流電流を生じない共振型コンバータからなるスイッチング電源装置を提供する。コンバータトランス（Ｔ１）の一次巻線（Ｌ１）には、共振用インダクタ（Ｌｒ）と共振用コンデンサ（Ｃｒ）が直列接続されており、直列共振回路が構成されている。スイッチ素子（Ｑ１，Ｑ２）を相補的にオンオフ制御することで、当該直列共振回路へ電流を供給する。コンバータトランス（Ｔ１）の二次側に接続されたスイッチ素子（Ｑ３）はスイッチ素子（Ｑ１）に同期し、スイッチ素子（Ｑ４）はスイッチ素子（Ｑ２）に同期している。ここで、スイッチング周波数ｆｓが共振周波数ｆｒよりも低いときには、スイッチ素子（Ｑ３，Ｑ４）は、スイッチ素子（Ｑ１，Ｑ２）と同期してオン制御されるが、共振周期Ｔｒの１／２の時間経過後に、スイッチ素子（Ｑ１，Ｑ２）と非同期でオフ制御される。
2012153799.tif 000002
【特許請求の範囲】
【請求項１】
一次巻線と第１二次巻線および第２二次巻線を備えたコンバータトランスと、
前記一次巻線に直列接続された共振用インダクタと共振用コンデンサを備える直列共振回路と、
相補的にオンオフ制御されることで、前記直列共振回路へ電力供給する第１スイッチ素子および第２スイッチ素子と、
前記第１二次巻線と電圧出力端子との間に直列接続する第３スイッチ素子と、
前記第２二次巻線と前記電圧出力端子との間に直列接続する第４スイッチ素子と、
出力電圧に応じたＰＦＭ制御を前記第１スイッチ素子、前記第２スイッチ素子に対して行うとともに、前記第３スイッチ素子と前記第４スイッチ素子とを制御する制御部と、を備え、
該制御部は、予め与えられた共振周期に基づいて決定する変数Ａ１、前記出力電圧に基づいて生成され、スイッチング周期を決定する変数Ａ２、前記第３スイッチ素子および前記第４スイッチ素子のオン時間を決定する変数Ａ３、を扱い、
Ａ１ ＞ Ａ２／２の領域では、  Ａ３ ＝ Ａ２／２
Ａ１ ≦ Ａ２／２の領域では、  Ａ３ ＝ Ａ１
として、前記第３スイッチ素子および前記第４スイッチ素子のオン時間を決定することを特徴とするスイッチング電源装置。
【請求項２】
前記予め与えられた共振周期は、前記直列共振回路の共振周期の１／２である、請求項１に記載のスイッチング電源装置。
【請求項３】
前記第３スイッチ素子のターンオンは前記第１スイッチ素子のターンオンに同期するとともに、前記第３スイッチ素子は前記第２スイッチ素子のターンオンまたは前記第３スイッチ素子のターンオンから前記直列共振回路の共振周期の１／２が経過した時間のいずれか早い方までにターンオフし、前記第４スイッチ素子のターンオンは前記第２スイッチ素子のターンオンに同期するとともに、前記第４スイッチ素子は前記第１スイッチ素子のターンオンまたは前記第４スイッチ素子のターンオンから前記直列共振回路の共振周期の１／２が経過した時間のいずれか早い方までにターンオフすることを特徴とする、請求項１または請求項２に記載のスイッチング電源装置。
【請求項４】
前記一次巻線と並列に接続された並列インダクタを有する、請求項１乃至請求項３のいずれかに記載のスイッチング電源装置。
【請求項５】
前記制御部は、
前記出力電圧に基づく前記ＰＦＭ制御を実行するＭＰＵと、
該ＭＰＵから得られる各スイッチ素子の駆動情報に基づいて前記各スイッチ素子に対する駆動信号を生成するドライバ回路と、を備える請求項１乃至請求項４のいずれかに記載のスイッチング電源装置。
【請求項６】
前記第１スイッチ素子および前記第２スイッチ素子は、直流電圧が入力される端子対を構成する第１、第２電源入力端子との間に直列接続されており、
前記第１スイッチ素子および前記第２スイッチ素子のいずれかに、前記直列共振回路が並列接続されることで、前記コンバータトランスの一次側がハーフブリッジ型で構成されている、請求項１乃至請求項５のいずれかに記載のスイッチング電源装置。
【請求項７】
前記第１スイッチ素子および前記第２スイッチ素子は、直流電圧が入力される端子対を構成する第１、第２電源入力端子との間に直列接続されており、
第１コンデンサおよび第２コンデンサは、前記第１スイッチ素子と前記第２スイッチ素子との直列回路に対して並列接続されるように、前記第１、第２電源入力端子の間に直列接続されており、
前記第１スイッチ素子および前記第２スイッチ素子の接続点と、前記第１コンデンサおよび前記第２コンデンサの接続点との間に前記一次巻線と前記共振用インダクタが接続されることで前記直列共振回路が形成され、前記コンバータトランスの一次側がハーフブリッジ型で構成されている、請求項１乃至請求項５のいずれかに記載のスイッチング電源装置。
【請求項８】
前記第１スイッチ素子および前記第２スイッチ素子は、直流電圧が入力される端子対を構成する第１、第２電源入力端子との間に直列接続されており、
第５スイッチ素子および第６スイッチ素子は、前記第１スイッチ素子と前記第２スイッチ素子との直列回路に対して並列接続されるように、前記第１、第２電源入力端子の間に直列接続されており、
前記第１スイッチ素子および前記第２スイッチ素子の接続点と、前記第５スイッチ素子および前記第６スイッチ素子の接続点との間に前記一次巻線と前記共振用インダクタが接続されることで前記直列共振回路が形成され、前記コンバータトランスの一次側がフルブリッジ型で構成されている、請求項１乃至請求項５のいずれかに記載のスイッチング電源装置。
【発明の詳細な説明】
【技術分野】
【０００１】
本発明は、同期整流型のＬＬＣ共振コンバータのスイッチング電源に関する。
【背景技術】
【０００２】
従来、各種の同期整流型のＬＬＣ共振型コンバータを用いたスイッチング電源装置が考案されている。【０００３】
図１は特許文献１に記載のスイッチング電源装置の回路図である。特許文献１のスイッチング電源装置はＬＬＣ共振のコンバータである。図１に示すように、特許文献１のスイッチング電源では、トランスの一次巻線からなるインダクタ、共振用インダクタ、および共振用コンデンサに対して、カレントトランスが直列接続されている。共振回路の電流すなわち一次巻線に流れる電流はカレントトランスによって検出される。検出電流は、ドライブ回路に入力され、ドライブ回路は、検出電流に基づいて二次側のスイッチ素子（同期整流素子）をオンオフ制御する。【０００４】
図２は特許文献２に記載のスイッチング電源装置の回路図である。特許文献２のスイッチング電源装置は、同期整流型のハーフブリッジＬＬＣ共振コンバータである。図２に示すように、特許文献２のスイッチング電源装置は、制御回路が二次側に備えられている。制御回路は、二次側スイッチ素子とともに一次側スイッチ素子をオンオフ制御する。この際、制御回路は、一次側スイッチ素子の導通後、予め設定した時間間隔（例えば、０．４μｓｅｃ．）をおいて二次側スイッチ素子を導通する。また、制御回路は、一次側スイッチ素子の遮断後、予め設定した時間間隔（例えば、０．１５μｓｅｃ．）をおいて二次側スイッチ素子を遮断する。すなわち、特許文献２のスイッチング電源装置の制御回路は、予め設定した一定の時間間隔を置いて、一次側スイッチ素子と二次側スイッチ素子（同期整流素子）のオンオフを制御している。
【先行技術文献】
【特許文献】
【０００５】
【特許文献１】特開２００７−２７４７８９号公報
【特許文献２】実用新案登録３１２６１２２号公報
【発明の概要】
【発明が解決しようとする課題】
【０００６】
このように、特許文献１と特許文献２に記載のスイッチング電源装置は、それぞれ異なる方法により、二次側スイッチ素子（同期整流素子）のオンオフを制御している。しかしながら、特許文献１に記載のスイッチング電源装置では、二次側スイッチ素子（同期整流素子）の駆動のために、共振回路の電流すなわち一次巻線に流れる電流を検出するカレントトランスを必ず備えなければならず、スイッチング電源装置の構成要素が増加する。さらには、同期整流素子の駆動信号を生成して供給するには、高精度で高速動作のコンパレータが必要になる。したがって、スイッチング電源装置の構造が複雑になり、コスト増等の問題が生じる。【０００７】
また、特許文献２に記載のように、予め設定した一定の時間間隔を置いて、一次側スイッチ素子と二次側スイッチ素子（同期整流素子）のオンオフを制御する構成では、共振回路の共振周波数よりもスイッチング周波数が低い場合に、二次側スイッチ素子（同期整流素子）のオン時に負電流が流れ、一次側へ逆流電流が生じてしまうことがあった。【０００８】
したがって、本発明の目的は、二次側から一次側への逆流電流を生じない共振型コンバータからなるスイッチング電源装置を提供することにある。
【課題を解決するための手段】
【０００９】
この発明のスイッチング電源装置は、一次巻線と第１二次巻線および第２二次巻線を備えたコンバータトランスと、一次巻線に直列接続された共振用インダクタと共振用コンデンサを備える直列共振回路と、を備える。スイッチング電源装置は、相補的にオンオフ制御されることで、直列共振回路へ電力供給する第１スイッチ素子および第２スイッチ素子と、第１二次巻線と電圧出力端子との間に直列接続する第３スイッチ素子と、第２二次巻線と電圧出力端子との間に直列接続する第４スイッチ素子と、を備える。スイッチング電源装置は、出力電圧に応じたＰＦＭ制御を第１スイッチ素子、第２スイッチ素子に対して行うとともに、第３スイッチ素子と第４スイッチ素子とを制御する制御部を備える。制御部は、予め与えられた共振周期に基づいて決定する変数Ａ１、前記出力電圧に基づいて生成され、スイッチング周期を決定する変数Ａ２、前記第３スイッチ素子および前記第４スイッチ素子のオン時間を決定する変数Ａ３、を扱い、
Ａ１ ＞ Ａ２／２の領域では、  Ａ３＝ Ａ２／２
Ａ１ ≦ Ａ２／２の領域では、  Ａ３＝ Ａ１
として、前記第３スイッチ素子および前記第４スイッチ素子のオン時間を決定する。【００１０】
この構成では、コンバータトランスの一次側の第１スイッチ素子および第２スイッチ素子のオン時間が予め与えられた共振周期に基づく時間よりも長くなっても、コンバータトランスの二次側の第３スイッチ素子と第４スイッチ素子のオン時間が予め与えられた共振周期に基づく時間に制限される。これにより、二次側の第３スイッチ素子と第４スイッチ素子がオン状態のときに負電流が流れる状況を抑えることができ、二次側から一次側への逆流電流を抑えることができる。【００１１】
また、この発明のスイッチング電源装置では、予め与えられる第３スイッチ素子と第４スイッチ素子のオン時間は、直列共振回路の共振周期の１／２であることが好ましい。【００１２】
この構成では、コンバータトランスの一次側の第１スイッチ素子および第２スイッチ素子のオン時間が直列共振回路の共振周期の１／２よりも長くなっても、コンバータトランスの二次側の第３スイッチ素子と第４スイッチ素子のオン時間が直列共振回路の共振周期の１／２に制限される。これにより、二次側の第３スイッチ素子と第４スイッチ素子がオン状態のときに負電流が流れる状況が生じなくなり、二次側からの逆流電流が生じない。【００１３】
また、この発明のスイッチング電源装置では、第３スイッチ素子のターンオンは第１スイッチ素子のターンオンに同期するとともに、第３スイッチ素子は第２スイッチ素子のターンオンまたは予め与えられたオン時間のいずれか早い方までにターンオフし、第４スイッチ素子のターンオンは第２スイッチ素子のターンオンに同期するとともに、第４スイッチ素子は第１スイッチ素子のターンオンまたは予め与えられたオン時間のいずれか早い方までにターンオフしてもよい。これにより、二次側の第３スイッチ素子と第４スイッチ素子がオン状態のときに負電流が流れる状況が生じなくなり、二次側からの逆流電流が生じない。【００１４】
また、この発明のスイッチング電源装置は、一次巻線と並列に接続された並列インダクタを有してもよい。これにより、第２の共振周期を共振インダクタと共振コンデンサと並列インダクタとによって設計することができ、トランスに流れる電流を減少させ，トランスの発熱を軽減することができる。【００１５】
また、この発明のスイッチング電源装置では、制御部は、出力電圧に基づくＰＦＭ制御を実行するＭＰＵと、ＭＰＵから得られる各スイッチ素子の駆動情報に基づいて各スイッチ素子に対する駆動信号を生成するドライバ回路と、を備えることが好ましい。この構成では、制御部を可能な限りデジタルＩＣで実現することができる。【００１６】
また、この発明のスイッチング電源装置は、一例として次のような回路構成で実現できる。第１スイッチ素子および第２スイッチ素子は、直流電圧が入力される端子対を構成する第１、第２電源入力端子との間に直列接続されており、第１スイッチ素子および第２スイッチ素子のいずれかに、直列共振回路が並列接続されている。これにより、コンバータトランスの一次側がハーフブリッジ型となる。この構成により、ハーフブリッジ型で同期整流型のＬＬＣ共振コンバータを実現できる。【００１７】
また、この発明のスイッチング電源装置は、一例として次のような回路構成で実現できる。第１スイッチ素子および第２スイッチ素子は、直流電圧が入力される端子対を構成する第１、第２電源入力端子との間に直列接続されている。第１コンデンサおよび第２コンデンサは、第１スイッチ素子と第２スイッチ素子との直列回路に対して並列接続されるように、第１、第２電源入力端子の間に直列接続されている。第１スイッチ素子および第２スイッチ素子の接続点と、第１コンデンサおよび第２コンデンサの接続点との間に一次巻線と共振用インダクタが接続されることで、直列共振回路が形成されている。これにより、コンバータトランスの一次側がハーフブリッジ型となる。この構成により、ハーフブリッジ型で同期整流型のＬＬＣ共振コンバータを実現できる。【００１８】
また、この発明のスイッチング電源装置は、一例として次のような回路構成で実現できる。第１スイッチ素子および第２スイッチ素子は、直流電圧が入力される端子対を構成する第１、第２電源入力端子との間に直列接続されている。第５スイッチ素子および第６スイッチ素子は、第１スイッチ素子と第２スイッチ素子との直列回路に対して並列接続されるように、第１、第２電源入力端子の間に直列接続されている。第１スイッチ素子および第２スイッチ素子の接続点と、第５スイッチ素子および第６スイッチ素子の接続点との間に一次巻線と共振用インダクタが接続されることで、直列共振回路が形成されている。これにより、コンバータトランスの一次側がフルブリッジ型となる。この構成より、フルブリッジ型で同期整流型のＬＬＣ共振コンバータを実現できる。
【発明の効果】
【００１９】
この発明によれば、二次側スイッチ素子を適切に制御することができるため、二次側から一次側への逆流電流を抑えることができる。
【図面の簡単な説明】
【００２０】
【図１】従来技術である特許文献１に記載のスイッチング電源装置の回路図である。
【図２】従来技術である特許文献２に記載のスイッチング電源装置の回路図である。
【図３】第１の実施形態に係るスイッチング電源装置１００の回路図である。
【図４】図３中のフィードバック回路ＦＢの回路図である。
【図５】第１スイッチ素子Ｑ１、第２スイッチ素子Ｑ２、第３スイッチ素子Ｑ３および第４スイッチ素子Ｑ４の駆動パルスの生成方法を示す図である。
【図６】スイッチング周波数ｆｓが共振周波数ｆｒよりも高い状態での制御を説明するための波形図である。
【図７】スイッチング周波数ｆｓが共振周波数ｆｒに一致する状態での制御を説明するための波形図である。
【図８】スイッチング周波数ｆｓが共振周波数ｆｒよりも低い状態での制御を説明するための波形図である
【図９】フルブリッジ型のスイッチング電源装置１００Ａの回路図である。
【図１０】別のハーフブリッジ型のスイッチング電源装置１００Ｂの回路図である。
【図１１】別のハーフブリッジ型のスイッチング電源装置１００Ｃの回路図である。
【発明を実施するための形態】
【００２１】
本発明の実施形態に係るスイッチング電源について、図を参照して説明する。
＜第１実施形態＞
図３は第１の実施形態に係るスイッチング電源装置１００の回路図である。
【００２２】
スイッチング電源装置１００は、直流電源２００が接続する一組の端子からなる電源入力端子を備える。高電位側が第１電源入力端子Ｐｉ（＋）であり、グランド電位側が第２電源入力端子Ｐｉ（Ｇ）である。
【００２３】
スイッチング電源装置１００は、負荷３００が接続する一組の端子からなる出力端子を備える。高電位側が第１出力端子Ｐｏ（＋）であり、グランド電位側が第２出力端子Ｐｏ（Ｇ）である。
【００２４】
第１電源入力端子Ｐｉ（＋）と第２電源入力端子Ｐｉ（Ｇ）との間には、入力電圧を平滑する入力コンデンサＣｉが接続されている。
【００２５】
第１電源入力端子Ｐｉ（＋）と第２電源入力端子Ｐｉ（Ｇ）との間には、第１スイッチ素子Ｑ１と第２スイッチ素子Ｑ２との直列回路が接続されている。この際、第１スイッチ素子Ｑ１が第１電源入力端子側Ｐｉ（＋）となり、第２スイッチ素子Ｑ２が第２電源入力端子側Ｐｉ（＋）となるように、接続されている。
【００２６】
第１スイッチ素子Ｑ１および第２スイッチ素子Ｑ２は、ＦＥＴからなるスイッチ素子であり、寄生キャパシタおよびボディーダイオードを有する。
【００２７】
第１スイッチ素子Ｑ１のドレインは、第１電源入力端子Ｐｉ（＋）に接続され、第１スイッチ素子Ｑ１のソースは第２スイッチ素子Ｑ２のドレインに接続されている。第２スイッチ素子のソースＱ２は第２電源入力端子Ｐｉ（Ｇ）に接続されている。第１スイッチ素子Ｑ１および第２スイッチ素子Ｑ２のゲートは、ハイサイドドライバ（Ｈｉｇｈ  Ｓｉｄｅ  Ｄｒｉｖｅｒ）１２に接続されている。
【００２８】
第２スイッチ素子Ｑ２には、共振用インダクタＬｒ、コンバータトランスＴ１の一次巻線Ｌ１、共振用コンデンサＣｒの直列回路が並列接続されている。また、一次巻線Ｌ１には励磁インダクタＬｍが並列に接続されている。これら共振用インダクタＬｒ、励磁インダクタＬｍ、共振用コンデンサＣｒによりＬＬＣ共振コンバータの共振回路が構成される。なお、共振用インダクタＬｒおよび励磁インダクタＬｍはコンバータトランスＴ１の漏れインダクタおよび励磁インダクタにより構成してもよいし、別途インダクタを一次巻線Ｌ１に直列および並列に接続して構成してもよい。
【００２９】
コンバータトランスＴ１は、上述の一次巻線Ｌ１とともに、当該一次巻線Ｌ１に磁界結合する第１二次巻線Ｌ２１と第２二次巻線Ｌ２２を備える。第１二次巻線Ｌ２１と第２二次巻線Ｌ２２は、一次巻線Ｌ１に対する極性が同じになるように配設され、互いに接続されている。
【００３０】
第１二次巻線Ｌ２１と第２二次巻線Ｌ２２の接続点は、第１出力端子Ｐｏ（＋）に接続されている。
【００３１】
第１二次巻線Ｌ２１の前記接続点と反対側の端部は、第３スイッチ素子Ｑ３を介して第２出力端子Ｐｏ（Ｇ）に接続されている。この際、第３スイッチ素子Ｑ３のドレインは、第１二次巻線Ｌ２１に接続され、ソースは第２出力端子Ｐｏ（Ｇ）に接続されている。第３スイッチ素子Ｑ３のゲートは、パルストランスフォーマ（Ｐｕｌｓｅ  Ｔｒａｎｓｆｏｒｍｅｒ）１４に接続されている。このパルストランスフォーマ１４が第２絶縁型信号伝達手段に相当する。
【００３２】
第２二次巻線Ｌ２２の前記接続点と反対側の端部は、第４スイッチ素子Ｑ４を介して第２出力端子Ｐｏ（Ｇ）に接続されている。この際、第４スイッチ素子Ｑ４のドレインは、第２二次巻線Ｌ２２に接続され、ソースは第２出力端子Ｐｏ（Ｇ）に接続されている。第４スイッチ素子Ｑ４のゲートは、パルストランスフォーマ１４に接続されている。
【００３３】
第３スイッチ素子Ｑ３および第４スイッチ素子Ｑ４は、ＦＥＴからなるスイッチ素子であり、寄生キャパシタおよびボディーダイオードを有する。
【００３４】
第１出力端子Ｐｏ（＋）と第２出力端子Ｐｏ（Ｇ）の間には、平滑用の出力コンデンサＣｏが接続されている。
【００３５】
出力コンデンサＣｏには、出力電圧を検出しフィードバック信号を生成するフィードバック回路ＦＢが並列接続されている。
【００３６】
図４はフィードバック回路ＦＢの回路図である。第１出力端子Ｐｏ（＋）と第２出力端子Ｐｏ（Ｇ）の間には、シャントレギュレータＳＲ、抵抗Ｒ３及びフォトカプラＰＣの発光素子による直列回路と、抵抗Ｒ１，Ｒ２による分圧回路とが接続されている。シャントレギュレータＳＲのリファレンス端子には、上記Ｒ１，Ｒ２による抵抗分圧回路の分圧出力を与えている。また、シャントレギュレータＳＲの電圧制御端とリファレンス端子との間に抵抗Ｒ１１とコンデンサＣ１１からなる負帰還回路を設けている。またフォトカプラＰＣの受光素子の一端は、抵抗Ｒ４を介して定電圧Ｖｃｃに接続されており、他端はＧＮＤに接続されている。フォトカプラＰＣの受光素子と抵抗Ｒ４の接続点の電圧は、フィードバック電圧ＶＦＢとして、ＭＰＵ１１に入力される。具体的には、図示しないが、フィードバック電圧ＶＦＢはＭＰＵ１１内部のＡＤコンバータに入力される。
【００３７】
フィードバック回路ＦＢは、第１出力端子Ｐｏ（＋）と第２出力端子Ｐｏ（Ｇ）の出力電圧が設定電圧より高くなる程、フィードバック電圧ＶＦＢの電圧が低くなる関係で作用する。
【００３８】
フォトカプラは第１絶縁型信号伝達手段に相当する。
【００３９】
制御部としてのＭＰＵ１１は、ハイサイドドライバ１２とドライバ（Ｄｒｉｖｅｒ）１３に接続され、ドライバ１３はパルストランスフォーマ１４に接続されている。
【００４０】
ＭＰＵ１１は、フィードバック電圧ＶＦＢに基づいて、ＰＦＭ（Ｐｕｌｓｅ  Ｆｒｅｑｕｅｎｃｙ  Ｍｏｄｕｌａｔｉｏｎ）制御により、第１スイッチング制御信号（以下、単に第１制御信号）、および第２スイッチング制御信号（以下、単に第２制御信号）のスイッチング周波数ｆｓを算出する。第１制御信号は第１スイッチ素子Ｑ１に与える制御信号であり、第２制御信号は、第２スイッチ素子Ｑ２に与える制御信号である。ＭＰＵ１１は、スイッチング周波数ｆｓに基づく第１制御信号および第２制御信号をハイサイドドライバ１２に与える。
【００４１】
ＰＦＭ制御とは、負荷が重い時には、スイッチ素子をオンオフ制御するためのスイッチング周波数ｆｓを低く設定し、負荷を軽い時には、スイッチング周波数ｆｓを高くする制御である。
【００４２】
この際、ＭＰＵ１１は、第１制御信号および第２制御信号を、Ｈｉ、Ｌｏｗの二値からなる矩形波で生成する。ＭＰＵ１１は、第１制御信号と第２制御信号とが相補的にＨｉ状態もしくはＬｏｗ状態となるように、第１制御信号および第２制御信号を出力する。さらに、ＭＰＵ１１は、第１制御信号と第２制御信号のＨｉ，Ｌｏｗ切り替わりのタイミングにおいて、ともにＬｏｗ状態となる所定のデッドタイムが生じるように、第１制御信号および第２制御信号を出力する。
【００４３】
ハイサイドドライバ１２は、ＭＰＵ１１からの第１制御信号および第２制御信号を第１スイッチ素子Ｑ１および第２スイッチ素子Ｑ２を駆動できるように増幅する。ハイサイドドライバ１２は第１制御信号を第１スイッチ素子Ｑ１に与え、第２制御信号を第２スイッチ素子Ｑ２に与える。
【００４４】
第１スイッチ素子Ｑ１は、ゲートに印加された第１制御信号の電圧Ｖｇｓ１よりオンオフ制御される。第２スイッチ素子Ｑ２は、ゲートに印加された第２制御信号の電圧Ｖｇｓ２よりオンオフ制御される。そして、上述のように、第１制御信号と第２制御信号は、デッドタイム（図５、図６、図７のｔｄ１に相当）を挟んでＨｉ、Ｌｏｗが相補的に切り替わるので、第１スイッチ素子Ｑ１と第２スイッチ素子Ｑ２は、双方がオフとなるデッドタイムを挟んで、相補的にオンオフ制御される。ここでは、第１制御信号と第２制御信号のそれぞれのオン時間は、略等しいことが好ましい。
【００４５】
また、ＭＰＵ１１は、第１制御信号および第２制御信号のターンオンに同期する第３スイッチング制御信号（以下、単に第３制御信号）および第４スイッチング制御信号（以下、単に第４制御信号）をドライバ１３へ与える。第３制御信号は、第３スイッチ素子Ｑ３に与える制御信号であり、第４制御信号は第４スイッチ素子Ｑ４に与える制御信号である。
【００４６】
ドライバ１３は、ＭＰＵ１１からの信号である第１制御信号に同期してターンオンする第３制御信号、および第２制御信号に同期してターンオンする第４制御信号を増幅する。ドライバ１３は、第３制御信号および第４制御信号をパルストランスフォーマ１４へ出力する。
【００４７】
ＭＰＵ１１は、スイッチング周波数ｆｓが直列共振回路の共振周波数ｆｒよりも低い場合に、第３制御信号および第４制御信号のオン時間を、共振周波数ｆｒに基づく共振周期Ｔｒ（＝１／ｆｒ）の１／２にするように、第３制御信号および第４制御信号を生成する。パルストランスフォーマ１４から出力された第３制御信号は、第３スイッチ素子Ｑ３のゲートへ印加される。パルストランスフォーマ１４から出力された第４制御信号は、第４スイッチ素子Ｑ４のゲートへ印加される。
【００４８】
第３スイッチ素子Ｑ３は、ゲートに印加された第３制御信号の電圧Ｖｇｓ３よりオンオフ制御される。第４スイッチ素子Ｑ４は、ゲートに印加された第４制御信号の電圧Ｖｇｓ４よりオンオフ制御される。
【００４９】
これにより、第３スイッチ素子Ｑ３は、スイッチング周波数ｆｓが直列共振回路の共振周波数ｆｒよりも低い場合を除き、第１スイッチ素子Ｑ１に同期してオンオフ制御される。第４スイッチ素子Ｑ４は、スイッチング周波数ｆｓが直列共振回路の共振周波数ｆｒよりも低い場合を除き、第２スイッチ素子Ｑ２に同期してオンオフ制御される。
【００５０】
一方、第３スイッチ素子Ｑ３は、スイッチング周波数ｆｓが直列共振回路の共振周波数ｆｒよりも低い場合には、第１スイッチ素子Ｑ１に同期してオン制御されるが、第１スイッチ素子Ｑ１よりも早く、ターンオンから共振周期Ｔｒの１／２のタイミングでターンオフされる。第４スイッチ素子Ｑ４は、スイッチング周波数ｆｓが直列共振回路の共振周波数ｆｒよりも低い場合には、第２スイッチ素子Ｑ２に同期してオン制御されるが、第２スイッチ素子Ｑ２よりも早く、ターンオンから共振周期Ｔｒの１／２のタイミングでターンオフされる。
【００５１】
ここで、第１スイッチ素子Ｑ１、第２スイッチ素子Ｑ２、第３スイッチ素子Ｑ３および第４スイッチ素子Ｑ４の駆動パルスをどのように生成するかを、図５（Ａ）、（Ｂ）を参照して説明する。ここでは、ＭＰＵ１１内部のデジタルＰＷＭモジュールの設定および動作について説明する。
【００５２】
図５において、ＣＮＴＲはカウンタであり、クロック毎に増加する。ＰＲＤはピリオドであり、ＣＮＴＲがこの値に達するとゼロになる。すなわち、スイッチング周期を決定する。ＣＭＰＡ、ＣＭＰＢ、ＣＭＰＣはそれぞれ時間を設定する閾値である。ＣＭＰＡはＰＲＤの半値である。ＣＭＰＢは固定値であり、ＣＮＴＲがゼロからＣＭＰＢに達するまでの時間が共振周期Ｔｒの１／２になるようにＣＭＰＢは設定されている。ＣＭＰＣは、ＣＭＰＡにＣＭＰＢが加算された値（ＣＭＰＡ＋ＣＭＰＢ）である。
【００５３】
Ｖｇｓ１は第１スイッチ素子Ｑのゲート駆動パルス、Ｖｇｓ２は第２スイッチ素子Ｑ２のゲート駆動パルス、Ｖｇｓ３は第３スイッチ素子Ｑ３のゲート駆動パルス、Ｖｇｓ４は第４スイッチ素子Ｑ４のゲート駆動パルスである。Ｖｇｓ１はＣＮＴＲがゼロに一致すると立ち上がり、ＣＮＴＲがＣＭＰＡと一致すると立ち下がるように設定する。Ｖｇｓ２はＣＮＴＲがＣＭＰＡと一致すると立ち上がり、ＣＮＴＲがＰＲＤに一致すると立ち下がるように設定する。Ｖｇｓ３はＣＮＴＲがゼロに一致すると立ち上がり、ＣＮＴＲがＣＭＰＡ又はＣＭＰＢと一致すると立ち下がるように設定する。Ｖｇｓ４はＣＮＴＲがＣＭＰＡと一致すると立ち上がり、ＣＮＴＲがＰＲＤ又はＣＭＰＣと一致すると立ち下がるように設定する。
【００５４】
図５（Ａ）は、スイッチング周波数ｆｓが直列共振回路の共振周波数ｆｒよりも高い場合である。ＣＭＰＢよりもＣＭＰＡが低く、ＣＭＰＣよりもＰＲＤが低い。したがって、Ｖｇｓ１とＶｇｓ３とは同じタイミングで立ち上がり、同じタイミングで立ち下がる。また、Ｖｇｓ２とＶｇｓ４とは同じタイミングで立ち上がり、同じタイミングで立ち下がる。
【００５５】
図５（Ｂ）は、スイッチング周波数ｆｓが直列共振回路の共振周波数ｆｒよりも低い場合である。ＣＭＰＢよりもＣＭＰＡが高く、ＣＭＰＣよりもＰＲＤが高い。したがって、Ｖｇｓ１とＶｇｓ３とは同じタイミング（ゼロ）で立ち上がるが、Ｖｇｓ３はＣＮＴＲがＣＭＰＢと一致すると立ち下がり、Ｖｇｓ１はＣＮＴＲがＣＭＰＡと一致すると立ち下がる。ここで、ＰＲＤがゼロからＣＭＰＢに達するまでの時間が共振周期Ｔｒの１／２になるように、ＣＭＰＢは設定されているので、つまり、Ｖｇｓ３は共振周期Ｔｒの１／２で立ち下がる。
【００５６】
一方、Ｖｇｓ２とＶｇｓ４とは同じタイミング（ＣＭＰＡ）で立ち上がるが、Ｖｇｓ４はＣＮＴＲがＣＭＰＣと一致すると立ち下がり、Ｖｇｓ２はＣＮＴＲがＰＲＤと一致すると立ち下がる。ここで、ＣＭＰＣは、ＣＭＰＡにＣＭＰＢが加算された値（ＣＭＰＡ＋ＣＭＰＢ）であり、ＣＭＰＡからＣＭＰＣまでの時間は共振周期Ｔｒの１／２に設定されている。つまり、Ｖｇｓ４は共振周期Ｔｒの１／２で立ち下がる。
【００５７】
次に、本実施形態のスイッチング電源によって実行される電力供給の制御について、図６、図７、図８を参照して説明する。図６はスイッチング周波数ｆｓが共振周波数ｆｒよりも高い状態での制御を説明するための波形図であり、図７はスイッチング周波数ｆｓが共振周波数ｆｒに一致する状態での制御を説明するための波形図であり、図８はスイッチング周波数ｆｓが共振周波数ｆｒよりも低い状態での制御を説明するための波形図である。また、図６、図７、図８はスイッチング周期の一周期分を示すものであり、このようなスイッチング制御が継続的に実行される。
【００５８】
各図において、Ｖｇｓ１は第１制御信号の電圧、Ｖｇｓ２は第２制御信号の電圧、Ｖｇｓ３は第３制御信号の電圧、Ｖｇｓ４は第４制御信号の電圧を示している。また、ｉＬｒは共振用インダクタＬｒに流れる共振電流を示し、ｉｍは励磁インダクタＬｍを流れる励磁電流を示す。また、ｉｄｓ３はスイッチ素子Ｑ３のドレインソース間電流であり、ｉｄｓ４はスイッチ素子Ｑ４のドレインソース間電流である。
【００５９】
（ｉ）スイッチング周波数ｆｓ＞共振周波数ｆｒの時（図６の時）
入力電圧が出力電圧に対して高い時（出力電圧比が１以下である時、ここで出力電圧比が１とは、入力電圧をハーフブリッジにより方形波を生成し、トランスを介して整流平滑して得られる電圧と等しい時）、すなわち、スイッチング周波数ｆｓが共振周波数ｆｒよりも高く制御されている時、スイッチ素子Ｑ２が既にターンオフされた状態で、タイミングｔ０においてスイッチ素子Ｑ１がターンオンされると、タイミングｔ０からタイミングｔ１（スイッチ素子Ｑ１がターンオフされるタイミング）までの期間では、直列共振回路（共振用インダクタＬｒ）に、共振周波数ｆｒの略正弦波状波形からなりオン時間に応じた共振電流ｉＬｒが流れる。また、励磁電流ｉｍは線形的に増加している。
【００６０】
この際、タイミングｔ０の直前においては、デッドタイム中にスイッチ素子Ｑ１のボディーダイオードに流れる負値の電流が生じている。したがって、スイッチ素子Ｑ１がターンオンするタイミングでは、共振電流ｉＬｒは０ではなく、負値となる（ここでは入力から電流が供給される方向を正値としている）。
【００６１】
スイッチ素子Ｑ１がターンオンされると、これに同期してスイッチ素子Ｑ３がターンオンされる。これにより、スイッチ素子Ｑ３には、コンバータトランスＴ１の第１二次巻線Ｌ２１に励振された共振周波数ｆｒの略正弦波状波形からなり、オン時間に応じた正値のドレインソース間電流ｉｄｓ３が流れ、その際の導通損は少ない。ここで正値とは、ソースからドレインへ流れる電流のことである。一方、この期間は、スイッチ素子Ｑ２，Ｑ４はオフ状態なので、スイッチ素子Ｑ４のドレインソース間電流ｉｄｓ４は０となる。
【００６２】
次に、スイッチ素子Ｑ１がターンオフするタイミングｔ１から、デッドタイムｔｄ１をおいてスイッチ素子Ｑ２がターンオンされるタイミングｔ２までの期間は、タイミングｔ０からタイミングｔ１の期間に生じた共振電流ｉＬｒに連続して、スイッチ素子Ｑ２のボディーダイオードを流れる電流が直列共振回路へ継続的に印加される。これにより、所定のデッドタイムｔｄ１をおいてスイッチ素子Ｑ２がターンオンされるタイミングｔ２までは急峻に値が低下する正値の共振電流ｉＬｒが直列共振回路（共振用インダクタＬｒ）に流れる。
【００６３】
これに応じて、この期間（ｔ１からｔ２まで）には、スイッチ素子Ｑ３に、スイッチ素子Ｑ３のオン期間に流れた共振電流に連続する正値のドレインソース間電流ｉｄｓ３が流れる。このドレインソース間電流ｉｄｓ３は、スイッチ素子Ｑ２がターンオンするタイミング（タイミングｔ２）で０になる。
【００６４】
次に、スイッチ素子Ｑ２がタイミングｔ２でターンオンされると、タイミングｔ２からタイミングｔ３（スイッチ素子Ｑ２がターンオフされるタイミング）までの期間では、直列共振回路（共振用インダクタＬｒ）に、前記タイミングｔ０からタイミングｔ１の期間に生じた共振電流の値を正負反転した共振周波数ｆｒの略正弦波状波形からなる共振電流ｉＬｒが流れる。また、励磁電流ｉｍは線形的に減少している。
【００６５】
この際、デッドタイムｔｄ１中にスイッチ素子Ｑ２のボディーダイオードに流れる電流が生じている。したがって、スイッチ素子Ｑ２がターンオンするタイミングでは、共振電流ｉＬｒは０ではない。このように本実施形態の回路構成を用いれば、一次側のスイッチ素子Ｑ１，Ｑ２をＺＶＳ（Ｚｅｒｏ  Ｖｏｌｔａｇｅ  Ｓｗｉｔｃｈｉｎｇ）動作させることができる。
【００６６】
スイッチ素子Ｑ４は、スイッチ素子Ｑ２のターンオンに同期してターンオンされる。これにより、スイッチ素子Ｑ４には、コンバータトランスＴ１の第２二次巻線Ｌ２２に励振された共振周波数ｆｒの略正弦波状波形からなり、オン時間に応じた正値のドレインソース間電流ｉｄｓ４が流れ、その際の導通損は少ない。一方、この期間は、スイッチ素子Ｑ１、Ｑ３がオフ状態であるので、スイッチ素子Ｑ３のドレインソース間電流ｉｄｓ３は０となる。
【００６７】
次に、スイッチ素子Ｑ２がターンオフするタイミングｔ３から、デッドタイムｔｄ２をおいてスイッチ素子Ｑ１がターンオンされるタイミングｔ４までの期間は、タイミングｔ２からタイミングｔ３の期間に生じた共振電流ｉＬｒに連続して、スイッチ素子Ｑ１のボディーダイオードを流れる電流が直列共振回路へ継続的に印加される。これにより、所定のデッドタイムｔｄ２をおいてスイッチ素子Ｑ１がターンオンされるタイミングｔ４までは急峻に値が上昇する負値の共振電流ｉＬｒが直列共振回路（共振用インダクタＬｒ）に流れる。
【００６８】
これに応じて、この期間（ｔ３からｔ４まで）には、スイッチ素子Ｑ４に、スイッチ素子Ｑ４のオン期間に流れた電流に連続する正値のドレインソース間電流ｉｄｓ４が流れる。このドレインソース間電流ｉｄｓ４は、スイッチ素子Ｑ１がターンオンのタイミングで０になる。
【００６９】
（ｉｉ）スイッチング周波数ｆｓ＝共振周波数ｆｒの時（図７の時）
入力電圧と出力電圧が同等である時（出力電圧比が１である時）、すなわちスイッチング周波数ｆｓと共振周波数ｆｒとが等しい値で駆動信号が制御されている時、スイッチ素子Ｑ２が既にターンオフされた状態で、タイミングｔ０においてスイッチ素子Ｑ１がターンオンされると、タイミングｔ０からタイミングｔ１Ａ（スイッチ素子Ｑ１がターンオフされるタイミング）までの期間では、直列共振回路（共振用インダクタＬｒ）に、共振周波数ｆｒの略正弦波状波形からなりオン時間に応じた共振電流ｉＬｒが流れる。これに応じて、励磁電流ｉｍは線形的に増加している。ここで、スイッチ素子Ｑ１のオン時間は、上述の（ｉ）のスイッチング周波数ｆｓが共振周波数ｆｒよりも高い場合よりも長くなる。
【００７０】
この際、スイッチ素子Ｑ１は、（ｉ）の場合と同様に、タイミングｔ０のタイミングでＺＶＳ動作する。
【００７１】
スイッチ素子Ｑ３は、スイッチ素子Ｑ１のターンオンに同期してターンオンされる。これにより、スイッチ素子Ｑ３には、コンバータトランスＴ１の第１二次巻線Ｌ２１に励振された共振周波数ｆｒの略正弦波状波形からなり、オン時間に応じた正値のドレインソース間電流ｉｄｓ３が流れ、その際の導通損は少ない。一方、この期間、スイッチ素子Ｑ２，Ｑ４はオフ状態なので、スイッチ素子Ｑ４のドレインソース間電流ｉｄｓ４は０となる。
【００７２】
次に、スイッチ素子Ｑ１がターンオフするタイミングｔ１Ａから、デッドタイムｔｄ１をおいてスイッチ素子Ｑ２がターンオンされるタイミングｔ２Ａまでは、まずスイッチ素子Ｑ２の並列キャパシタ（寄生容量）の電荷が放電され、続いてスイッチ素子Ｑ２がボディーダイオードによりターンオンする。
【００７３】
スイッチング周波数ｆｓ＝共振周波数ｆｒの動作条件において、スイッチ素子Ｑ３に流れるドレインソース間電流ｉｄｓ３は、タイミングｔ１Ａで０になり、またスイッチ素子Ｑ４に流れるドレインソース間電流ｉｄｓ４は、タイミングｔ１Ａで導通を開始する。
【００７４】
次に、共振電流ｉＬｒが負値となるまでにスイッチ素子Ｑ２がターンオンされると、直列共振回路（共振用インダクタＬｒ）に、前記タイミングｔ０からタイミングｔ１Ａの期間に生じた共振電流の値を正負反転した共振周波数ｆｒの略正弦波状波形からなる共振電流ｉＬｒが流れる。また、励磁電流ｉｍは線形的に減少している。
【００７５】
この際、スイッチ素子Ｑ２は、（ｉ）の場合と同様に、タイミングｔ２ＡのタイミングでＺＶＳ動作する。このように本実施形態の回路構成を用いれば、一次側のスイッチ素子Ｑ１，Ｑ２をＺＶＳ動作させることができる。
【００７６】
スイッチ素子Ｑ４は、スイッチ素子Ｑ２のターンオンに同期してターンオンされる。これにより、スイッチ素子Ｑ４には、コンバータトランスＴ１の第２二次巻線Ｌ２２に励振された共振周波数ｆｒの略正弦波状波形からなり、オン時間に応じた正値のドレインソース間電流ｉｄｓ４が流れ、その際の導通損は少ない。一方、この期間は、スイッチ素子Ｑ１，Ｑ３はオフ状態なので、スイッチ素子Ｑ３のドレインソース間電流ｉｄｓ３は０となる。
【００７７】
次に、スイッチ素子Ｑ２がターンオフするタイミングｔ３Ａから、デッドタイムｔｄ２をおいてスイッチ素子Ｑ１がターンオンされるタイミングｔ４Ａまでは、まずスイッチ素子Ｑ１の並列キャパシタ（寄生容量）の電荷が放電され、続いてスイッチ素子Ｑ１がボディーダイオードによりターンオンする。
【００７８】
スイッチング周波数ｆｓ＝共振周波数ｆｒの動作条件において、スイッチ素子Ｑ４に流れるドレインソース間電流ｉｄｓ４は、タイミングｔ３Ａで０になり、またスイッチ素子Ｑ３に流れるドレインソース間電流ｉｄｓ３は、タイミングｔ３Ａで導通を開始する。
【００７９】
（ｉｉｉ）スイッチング周波数ｆｓが共振周波数ｆｒよりも低い時（図８の時）
入力電圧が出力電圧に対し低い時（出力電圧比が１以上である時）、すなわち、スイッチング周波数ｆｓが共振周波数ｆｒよりも低くなるように駆動信号が制御されている時、スイッチ素子Ｑ２が既にターンオフされた状態で、タイミングｔ０においてスイッチ素子Ｑ１がターンオンされると、タイミングｔ０からタイミングｔ５（タイミングｔ０から共振回路の共振周期Ｔｒの１／２分経過タイミング）までの期間では、直列共振回路（共振用インダクタＬｒ）に、共振周波数ｆｒの略正弦波状波形からなる共振電流ｉＬｒが流れる。また、励磁電流ｉｍは線形的に増加している。さらに、タイミングｔ５からタイミングｔ１Ｂ（スイッチ素子Ｑ１がターンオフするタイミング）までの期間では、励磁電流ｉｍと等しい電流が流れる。この場合、スイッチ素子Ｑ１のオン時間は、上述の（ｉｉ）のスイッチング周波数ｆｓと共振周波数ｆｒとが等しい場合よりも長くなる。
【００８０】
この際、スイッチ素子Ｑ１は、（ｉ），（ｉｉ）の場合と同様に、タイミングｔ０のタイミングでＺＶＳ動作する。
【００８１】
ここで、スイッチ素子Ｑ３は、上述のようにオン時間（Ｔ３ｏｎｍａｘ）が直列共振回路の共振周期Ｔｒの１／２に制限されているので、スイッチ素子Ｑ１と同期してターンオンされても、上述のタイミングｔ５でターンオフされる。すなわち、スイッチ素子Ｑ１のスイッチング周期が共振周期Ｔｒよりも長くても、スイッチ素子Ｑ３は、ターンオンのタイミングから共振周期Ｔｒの１／２の期間だけ経過後で、スイッチ素子Ｑ１に同期することなく、ターンオフされる。
【００８２】
スイッチ素子Ｑ３には、共振電流ｉＬｒによってコンバータトランスＴ１の第１二次巻線Ｌ２１に励振された共振周波数ｆｒの略正弦波状波形からなり、オン時間（共振周期Ｔｒの１／２の期間）に応じた正値のドレインソース間電流ｉｄｓ３が流れ、ターンオンのタイミングから共振周期Ｔｒの１／２の期間だけ経過後（タイミングｔ５）に０となる。
【００８３】
次に、スイッチ素子Ｑ３がターンオフするタイミングｔ５から、スイッチ素子Ｑ１がターンオフされるタイミングｔ１Ｂまでは、タイミングｔ０からタイミングｔ５の期間に生じた共振電流ｉＬｒに連続して励磁電流ｉｍに一致する共振電流ｉＬｒが流れる。これは、ターンオンから共振周期Ｔｒの１／２の期間経過後のタイミングｔ５でスイッチ素子Ｑ１がターンオフされず、スイッチング周期で決定されるタイミングｔ１Ｂ（ｔ５よりも遅いタイミング）まで、スイッチ素子Ｑ１から直列共振回路へ新たな電流供給がされ続けるからであり、これに応じてタイミングｔ５からタイミングｔ１Ｂ（スイッチ素子Ｑ１がターンオフされるタイミング）までの期間では、励磁電流ｉｍ（共振電流ｉＬｒ）は直列共振回路と励磁インダクタンスＬｍからなる共振回路の共振電流として流れ続ける。
【００８４】
この期間ではスイッチ素子Ｑ３はオフ状態であるので、スイッチ素子Ｑ３のドレインソース間電流ｉｄｓ３は０となる。これにより、従来の課題に示したようなスイッチ素子Ｑ３を介した二次側から一次側への逆流電流の発生を防止することができる。
【００８５】
次に、タイミングｔ１Ｂにおいてスイッチ素子Ｑ１がターンオフされると、まずスイッチ素子Ｑ２の並列キャパシタ（寄生容量）の電荷が放電され、続いてスイッチ素子Ｑ２がボディーダイオードによりターンオンする。またスイッチ素子Ｑ４に流れるドレインソース間電流ｉｄｓ４は、タイミングｔ１Ｂで導通を開始する。
【００８６】
タイミングｔ２Ｂからタイミングｔ６までの期間では、直列共振回路（共振用インダクタＬｒ）に、前記タイミングｔ０からタイミングｔ５の期間に生じた共振電流の値を正負反転した共振周波数ｆｒの略正弦波状波形からなる共振電流ｉＬｒが流れる。また、励磁電流ｉｍは線形的に減少している。さらに、タイミングｔ６からタイミングｔ３Ｂ（スイッチ素子Ｑ２がターンオフするタイミング）までの期間では、さらに減少する共振電流ｉＬｒが流れる。この場合、スイッチ素子Ｑ２のオン時間は、上述の（ｉｉ）のスイッチング周波数ｆｓと共振周波数ｆｒとが等しい場合よりも長くなる。
【００８７】
この際、スイッチ素子Ｑ２も、（ｉ），（ｉｉ）の場合と同様に、タイミングｔ２ＢのタイミングでＺＶＳ動作する。
【００８８】
ここで、スイッチ素子Ｑ４は、スイッチ素子Ｑ２と同期してターンオンされても、上述のようにオン時間（Ｔ４ｏｎｍａｘ）が共振周期Ｔｒの１／２に制限されているので、上述のタイミングｔ６でターンオフされる。すなわち、スイッチ素子Ｑ２のスイッチング周期が共振周期Ｔｒよりも長くても、スイッチ素子Ｑ４は、ターンオンのタイミングから共振周期Ｔｒの１／２の期間だけ経過後に、スイッチ素子Ｑ２に同期することなく、ターンオフされる。
【００８９】
スイッチ素子Ｑ４には、コンバータトランスＴ１の第２二次巻線Ｌ２２に励振された共振周波数ｆｒの略正弦波状波形からなり、オン時間（共振周期Ｔｒの１／２の期間）に応じた正値のドレインソース間電流ｉｄｓ４が流れ、ターンオンのタイミング（タイミングｔ１Ｂ）から共振周期Ｔｒの１／２の期間だけ経過後（タイミングｔ６以降）で０となる。
【００９０】
次に、スイッチ素子Ｑ４がターンオフするタイミングｔ６から、スイッチ素子Ｑ２がターンオフされるタイミングｔ１Ｂまでの期間は、タイミングｔ１Ｂからタイミングｔ６の期間に生じた共振電流ｉＬｒに連続して励磁電流ｉｍに一致する共振電流ｉＬｒが流れる。これは、スイッチ素子Ｑ２がターンオンから共振周期Ｔｒの１／２の期間経過後のタイミングｔ６でターンオフされず、スイッチング周期で決定されるタイミングｔ３Ｂ（ｔ６よりも遅いタイミング）まで、スイッチ素子Ｑ１を介して直列共振回路に蓄積したエネルギーが放出され続けるからであり、これに応じてタイミングｔ６からタイミングｔ３Ｂ（スイッチ素子Ｑ２がターンオフされるタイミング）までの期間では、励磁電流ｉｍ（共振電流ｉＬｒ）は直列共振回路と励磁インダクタンスＬｍからなる共振回路の共振電流として流れ続ける。
【００９１】
この期間ではスイッチ素子Ｑ４はオフ状態であるので、スイッチ素子Ｑ４のドレインソース間電流ｉｄｓ４は０となる。これにより、従来の課題に示したようなスイッチ素子Ｑ４を介した二次側から一次側への逆流電流の発生を防止することができる。
【００９２】
以上のように、本実施形態の構成を用いれば、スイッチング周波数ｆｓが共振周波数ｆｒよりも低くなっても、二次側から一次側への逆流電流の発生を防止することができる。
【００９３】
なお、上述の実施形態では、二次側のスイッチ素子Ｑ３，Ｑ４のオン時間を、共振周期Ｔｒの１／２に設定したが、１／２以下の所定値に設定することもできる。具体的には、二次側のスイッチ素子Ｑ３，Ｑ４のオン時間は共振素子定数のばらつきを考慮した共振周期Ｔｒの１／２以下の所定値に設定してもよいし、製造工程において共振周期Ｔｒを測定した後に共振周期Ｔｒの１／２以下の所定値に設定してもよい。
【００９４】
また、スイッチ素子Ｑ３は、スイッチ素子Ｑ１のターンオンに必ずしも同期してターンオンされる必要はない。同様に、スイッチ素子Ｑ４は、スイッチ素子Ｑ２のターンオンに必ずしも同期してターンオンされる必要はない。このとき、スイッチ素子Ｑ３およびスイッチ素子Ｑ４のソースからドレインに流れようとする電流は、それぞれのボディーダイオードに流れる。
【００９５】
また、上述の実施形態では、制御部としてのＭＰＵ１１を一次側に配置して、フィードバック回路ＦＢにより二次側から一次側へフィードバック信号を伝達しているが、制御部としてのＭＰＵ１１を二次側に配置してもよい。この場合には、一次側スイッチ素子の制御信号を、パルストランスフォーマ等の絶縁手段を介して、二次側から一次側へ伝達すればよい。
【００９６】
また、上述の実施形態では、ハーフブリッジ型のスイッチング電源装置を例に示したが、フルブリッジ型のスイッチング電源装置を用いてもよい。図９はフルブリッジ型のスイッチング電源装置１００Ａの回路図である。なお、このスイッチング電源装置１００Ａは、コンバータトランスＴ１の二次側の回路構成は、上述の図３のスイッチング電源装置１００と同じであるので、一次側の回路構成およびＭＰＵ１１とスイッチ素子の接続構成についてのみ説明する。
【００９７】
第１電源入力端子Ｐｉ（＋）と第２電源入力端子Ｐｉ（Ｇ）との間には、第１スイッチ素子Ｑ１Ａと第２スイッチ素子Ｑ２Ａとの直列回路が接続されている。この際、第１スイッチ素子Ｑ１Ａが第１電源入力端子側Ｐｉ（＋）となり、第２スイッチ素子Ｑ２Ａが第２電源入力端子側Ｐｉ（＋）となるように、接続されている。
【００９８】
また、第１電源入力端子Ｐｉ（＋）と第２電源入力端子Ｐｉ（Ｇ）との間には、第１スイッチ素子Ｑ１Ａと第２スイッチ素子Ｑ２Ａとの直列回路に並列に、第５スイッチ素子Ｑ５Ａと第６スイッチ素子Ｑ６Ａとの直列回路が接続されている。この際、第５スイッチ素子Ｑ５Ａが第１電源入力端子側Ｐｉ（＋）となり、第６スイッチ素子Ｑ６Ａが第２電源入力端子側Ｐｉ（＋）となるように、接続されている。
【００９９】
第５スイッチ素子Ｑ５Ａ、第６スイッチ素子Ｑ６Ａは、第１スイッチ素子Ｑ１Ａ、第２スイッチ素子Ｑ２Ａとともに、ＦＥＴからなるスイッチ素子であり、寄生キャパシタおよびボディーダイオードを有する。
【０１００】
第１スイッチ素子Ｑ１Ａ、第２スイッチ素子Ｑ２Ａ、第５スイッチ素子Ｑ５Ａ、第６スイッチ素子Ｑ６Ａのゲートは、ハイサイドドライバ１２に接続されている。ハイサイドドライバ１２はＭＰＵ１１に接続されている。
【０１０１】
第１スイッチ素子Ｑ１Ａと第２スイッチ素子Ｑ２Ａとの接続点と、第５スイッチ素子Ｑ５Ａと第６スイッチ素子Ｑ６Ａとの接続点との間には、共振用インダクタＬｒ、コンバータトランスＴ１の一次巻線Ｌ１、共振用コンデンサＣｒの直列回路が接続されている。
【０１０２】
このような構成において、ＭＰＵ１１は、第１スイッチ素子Ｑ１Ａと第６スイッチ素子Ｑ６Ａを同期してオンオフ制御している。ＭＰＵ１１は、第２スイッチ素子Ｑ２Ａと第５スイッチ素子Ｑ５Ａを、同期してオンオフ制御している。
【０１０３】
ＭＰＵ１１は、第１スイッチ素子Ｑ１Ａおよび第６スイッチ素子Ｑ６Ａと、第２スイッチ素子Ｑ２Ａおよび第５スイッチ素子Ｑ５Ａとを、相補的にオン、オフされるように制御している。
【０１０４】
さらに、ＭＰＵ１１は、スイッチング周波数ｆｓが共振周波数ｆｒ以上であれば、第３スイッチ素子Ｑ３Ａを第１スイッチ素子Ｑ１Ａおよび第６スイッチ素子Ｑ６Ａに同期してオンオフ制御する。ＭＰＵ１１は、スイッチング周波数ｆｓが共振周波数ｆｒ以上であれば、第４スイッチ素子Ｑ３Ａを第２スイッチ素子Ｑ２Ａおよび第５スイッチ素子Ｑ５Ａに同期してオンオフ制御する。
【０１０５】
また、ＭＰＵ１１は、パルストランスフォーマ１４を介して第３スイッチ素子Ｑ３Ａと第４スイッチ素子Ｑ４Ａとに接続されている。ＭＰＵ１１は、スイッチング周波数ｆｓが共振周波数ｆｒよりも低ければ、第３スイッチ素子Ｑ３Ａを第１スイッチ素子Ｑ１Ａおよび第６スイッチ素子Ｑ６Ａに同期してオン制御し、共振周期Ｔｒの１／２に相当する時間の経過後にオフ制御する。制御部１０Ａは、スイッチング周波数ｆｓが共振周波数ｆｒよりも低ければ、第４スイッチ素子Ｑ４Ａを第２スイッチ素子Ｑ２Ａおよび第５スイッチ素子Ｑ５Ａに同期してオン制御し、共振周期Ｔｒの１／２に相当する時間の経過後にオフ制御する。
【０１０６】
このような構成および制御であっても、上述のハーフブリッジ型と同様に、二次側から一次側への逆流電流を防止できる。
【０１０７】
図１０は別のハーフブリッジ型のスイッチング電源装置１００Ｂの回路図である。このスイッチング電源装置１００Ｂの二次側の回路構成は、図３のスイッチング電源装置１００と同じである。図３のスイッチング電源装置１００と異なるのは、一次側の回路構成において、ハイサイドのスイッチ素子に対して共振用インダクタＬｒ、コンバータトランスＴ１の一次巻線Ｌ１、共振用コンデンサＣｒの直列回路が並列接続されている点である。このような構成であっても、スイッチング電源装置１００と同様の制御を行うことにより、二次側から一次側への逆流電流を防止できる。
【０１０８】
図１１は別のハーフブリッジ型のスイッチング電源装置１００Ｃの回路図である。このスイッチング電源装置１００Ｂの二次側の回路構成は、図３のスイッチング電源装置１００と同じである。図３のスイッチング電源装置１００と異なるのは、一次側の回路構成である。
【０１０９】
第１電源入力端子Ｐｉ（＋）と第２電源入力端子Ｐｉ（Ｇ）との間には、第１スイッチ素子Ｑ１と第２スイッチ素子Ｑ２との直列回路が接続されている。この際、第１スイッチ素子Ｑ１が第１電源入力端子側Ｐｉ（＋）となり、第２スイッチ素子Ｑ２が第２電源入力端子側Ｐｉ（＋）となるように、接続されている。
【０１１０】
また、第１電源入力端子Ｐｉ（＋）と第２電源入力端子Ｐｉ（Ｇ）との間には、第１スイッチ素子Ｑ１と第２スイッチ素子Ｑ２との直列回路に並列に、第１コンデンサＣ１と第２コンデンサＣ２との直列回路が接続されている。
【０１１１】
第１スイッチ素子Ｑ１Ａと第２スイッチ素子Ｑ２Ａとの接続点と、第１コンデンサＣ１と第２コンデンサＣ２との接続点との間には、共振用インダクタＬｒ、コンバータトランスＴ１の一次巻線Ｌ１の直列回路が接続されている。このような構成であっても、スイッチング電源装置１００と同様の制御を行うことにより、二次側から一次側への逆流電流を防止できる。
【符号の説明】
【０１１２】
１００，１００Ａ，１００Ｂ，１００Ｃ：スイッチング電源装置、２００：直流電源、３００：負荷、
１１：ＭＰＵ、１２：ハイサイドドライバ、１３：ドライバ、１４：パルストランスフォーマ
【図１】
2012153799.tif 000003
【図２】
2012153799.tif 000004
【図３】
2012153799.tif 000005
【図４】
2012153799.tif 000006
【図５】
2012153799.tif 000007
【図６】
2012153799.tif 000008
【図７】
2012153799.tif 000009
【図８】
2012153799.tif 000010
【図９】
2012153799.tif 000011
【図１０】
2012153799.tif 000012
【図１１】
2012153799.tif 000013
【手続補正書】
【提出日】平成25年11月1日(2013.11.1)
【手続補正１】
【補正対象書類名】明細書
【補正対象項目名】００２５
【補正方法】変更
【補正の内容】
【００２５】
第１電源入力端子Ｐｉ（＋）と第２電源入力端子Ｐｉ（Ｇ）との間には、第１スイッチ素子Ｑ１と第２スイッチ素子Ｑ２との直列回路が接続されている。この際、第１スイッチ素子Ｑ１が第１電源入力端子側Ｐｉ（＋）となり、第２スイッチ素子Ｑ２が第２電源入力端子側Ｐｉ（Ｇ）となるように、接続されている。
【手続補正２】
【補正対象書類名】明細書
【補正対象項目名】００２７
【補正方法】変更
【補正の内容】
【００２７】
第１スイッチ素子Ｑ１のドレインは、第１電源入力端子Ｐｉ（＋）に接続され、第１スイッチ素子Ｑ１のソースは第２スイッチ素子Ｑ２のドレインに接続されている。第２スイッチ素子Ｑ２のソースは第２電源入力端子Ｐｉ（Ｇ）に接続されている。第１スイッチ素子Ｑ１および第２スイッチ素子Ｑ２のゲートは、ハイサイドドライバ（Ｈｉｇｈ  Ｓｉｄｅ  Ｄｒｉｖｅｒ）１２に接続されている。
【手続補正３】
【補正対象書類名】明細書
【補正対象項目名】００８９
【補正方法】変更
【補正の内容】
【００８９】
スイッチ素子Ｑ４には、コンバータトランスＴ１の第２二次巻線Ｌ２２に励振された共振周波数ｆｒの略正弦波状波形からなり、オン時間（共振周期Ｔｒの１／２の期間）に応じた正値のドレインソース間電流ｉｄｓ４が流れ、ターンオンのタイミング（タイミングｔ２Ｂ）から共振周期Ｔｒの１／２の期間だけ経過後（タイミングｔ６以降）で０となる。
【手続補正４】
【補正対象書類名】明細書
【補正対象項目名】００９０
【補正方法】変更
【補正の内容】
【００９０】
次に、スイッチ素子Ｑ４がターンオフするタイミングｔ６から、スイッチ素子Ｑ２がターンオフされるタイミングｔ３Ｂまでの期間は、タイミングｔ２Ｂからタイミングｔ６の期間に生じた共振電流ｉＬｒに連続して励磁電流ｉｍに一致する共振電流ｉＬｒが流れる。これは、スイッチ素子Ｑ２がターンオンから共振周期Ｔｒの１／２の期間経過後のタイミングｔ６でターンオフされず、スイッチング周期で決定されるタイミングｔ３Ｂ（ｔ６よりも遅いタイミング）まで、スイッチ素子Ｑ１を介して直列共振回路に蓄積したエネルギーが放出され続けるからであり、これに応じてタイミングｔ６からタイミングｔ３Ｂ（スイッチ素子Ｑ２がターンオフされるタイミング）までの期間では、励磁電流ｉｍ（共振電流ｉＬｒ）は直列共振回路と励磁インダクタンスＬｍからなる共振回路の共振電流として流れ続ける。
【手続補正５】
【補正対象書類名】明細書
【補正対象項目名】００９７
【補正方法】変更
【補正の内容】
【００９７】
第１電源入力端子Ｐｉ（＋）と第２電源入力端子Ｐｉ（Ｇ）との間には、第１スイッチ素子Ｑ１Ａと第２スイッチ素子Ｑ２Ａとの直列回路が接続されている。この際、第１スイッチ素子Ｑ１Ａが第１電源入力端子側Ｐｉ（＋）となり、第２スイッチ素子Ｑ２Ａが第２電源入力端子側Ｐｉ（Ｇ）となるように、接続されている。
【手続補正６】
【補正対象書類名】明細書
【補正対象項目名】００９８
【補正方法】変更
【補正の内容】
【００９８】
また、第１電源入力端子Ｐｉ（＋）と第２電源入力端子Ｐｉ（Ｇ）との間には、第１スイッチ素子Ｑ１Ａと第２スイッチ素子Ｑ２Ａとの直列回路に並列に、第５スイッチ素子Ｑ５Ａと第６スイッチ素子Ｑ６Ａとの直列回路が接続されている。この際、第５スイッチ素子Ｑ５Ａが第１電源入力端子側Ｐｉ（＋）となり、第６スイッチ素子Ｑ６Ａが第２電源入力端子側Ｐｉ（Ｇ）となるように、接続されている。
【手続補正７】
【補正対象書類名】明細書
【補正対象項目名】０１０４
【補正方法】変更
【補正の内容】
【０１０４】
さらに、ＭＰＵ１１は、スイッチング周波数ｆｓが共振周波数ｆｒ以上であれば、第３スイッチ素子Ｑ３Ａを第１スイッチ素子Ｑ１Ａおよび第６スイッチ素子Ｑ６Ａに同期してオンオフ制御する。ＭＰＵ１１は、スイッチング周波数ｆｓが共振周波数ｆｒ以上であれば、第４スイッチ素子Ｑ４Ａを第２スイッチ素子Ｑ２Ａおよび第５スイッチ素子Ｑ５Ａに同期してオンオフ制御する。
【手続補正８】
【補正対象書類名】明細書
【補正対象項目名】０１０５
【補正方法】変更
【補正の内容】
【０１０５】
また、ＭＰＵ１１は、パルストランスフォーマ１４を介して第３スイッチ素子Ｑ３Ａと第４スイッチ素子Ｑ４Ａとに接続されている。ＭＰＵ１１は、スイッチング周波数ｆｓが共振周波数ｆｒよりも低ければ、第３スイッチ素子Ｑ３Ａを第１スイッチ素子Ｑ１Ａおよび第６スイッチ素子Ｑ６Ａに同期してオン制御し、共振周期Ｔｒの１／２に相当する時間の経過後にオフ制御する。ＭＰＵ１１は、スイッチング周波数ｆｓが共振周波数ｆｒよりも低ければ、第４スイッチ素子Ｑ４Ａを第２スイッチ素子Ｑ２Ａおよび第５スイッチ素子Ｑ５Ａに同期してオン制御し、共振周期Ｔｒの１／２に相当する時間の経過後にオフ制御する。
【手続補正９】
【補正対象書類名】明細書
【補正対象項目名】０１０８
【補正方法】変更
【補正の内容】
【０１０８】
図１１は別のハーフブリッジ型のスイッチング電源装置１００Ｃの回路図である。このスイッチング電源装置１００Ｃの二次側の回路構成は、図３のスイッチング電源装置１００と同じである。図３のスイッチング電源装置１００と異なるのは、一次側の回路構成である。
【手続補正１０】
【補正対象書類名】明細書
【補正対象項目名】０１０９
【補正方法】変更
【補正の内容】
【０１０９】
第１電源入力端子Ｐｉ（＋）と第２電源入力端子Ｐｉ（Ｇ）との間には、第１スイッチ素子Ｑ１と第２スイッチ素子Ｑ２との直列回路が接続されている。この際、第１スイッチ素子Ｑ１が第１電源入力端子側Ｐｉ（＋）となり、第２スイッチ素子Ｑ２が第２電源入力端子側Ｐｉ（Ｇ）となるように、接続されている。
【国際調査報告】
2012153799.tif 000014
2012153799.tif 000015
2012153799.tif 000016
2012153799.tif 000017